(57)【特許請求の範囲】
【請求項１】
正面視で、スタンドを含み、
前記スタンドの中には左方に開口した方向ガイド溝が形成されており、前記方向ガイド溝の中には伝動装置が設置され、
前記方向ガイド溝の下側内壁の中には下方に開口した凹溝が形成されており、前記凹溝の中にはローラーが左右対称的に、且つ回転できるように設置され、前記ローラーの下端が地面に当接しており、両側の前記ローラーの間には横向き回転軸が固定的に連結され、前記横向き回転軸の右端が前記伝動装置に連結され、前記伝動装置は前記横向き回転軸を駆動して回転させることができ、更に前記ローラーを地面で転がらせ、更に前記スタンドを移動連動させ、
前記スタンドの側方には、上下方向にスライド可能な二枚の昇降板が上下対称的に設置され、前記昇降板の中には水噴射装置が設置され、前記水噴射装置の右端が前記伝動装置に連結され、前記昇降板のうち対称中心に近接した一端には方向ガイドスライドブロックが固定的に連結され、前記方向ガイドスライドブロックの中には下方に開口した抜き孔が前後に貫通するように設置され、前記抜き孔の中には接触装置が設置され、防護柵は両側の前記抜き孔を通り抜け、前記伝動装置は前記水噴射装置を駆動することによって水を前記接触装置の中に押し込み、更に前記接触装置は水を防護柵に噴出させてクリーニングを行うことを特徴とする高架橋防護柵のクリーニングとメンテナンス設備。
【請求項２】
前記伝動装置は前記方向ガイド溝の中に回転できるように、且つスライドできるように設置されたスライドギヤを含み、前記スライドギヤの中にはモーター軸がスプラインによって連結され、前記方向ガイド溝の右側内壁の中にはモーターが固定的に設置され、前記モーター軸の右端が前記モーターに動力が伝達できるように連結され、
前記スライドギヤの上下両端には固定ギヤが対称的に、且つ噛み合えるように設置され、前記固定ギヤのうち対称中心から離れている一端には鉛直スクリューが固定的に連結され、前記方向ガイド溝の中にはスライドブロックが上下対称的に、且つスライドできるように設置され、前記鉛直スクリューのうち対称中心から離れている一端がそれぞれ両側の前記スライドブロックにネジ山によって連結され、
前記スライドギヤの中にはばね溝が右方に開口するように形成されており、前記ばね溝の左側内壁と前記モーター軸との間には電磁ばねが固定的に連結され、
前記モーター軸の円周面にはウォームが固定的に連結され、前記ウォームが前記スライドギヤの左側に位置しており、前記ウォームの後端にはウォームホイールが噛み合うように連結され、前記ウォームホイールの中には鉛直回転軸が固定的に連結され、前記スライドブロックの中にはギヤチャンバが設置され、前記鉛直回転軸の上下両端がそれぞれ両側の前記ギヤチャンバの中に伸びており、また前記鉛直回転軸の上下両端には主動ギヤがスプラインによって連結され、前記鉛直回転軸が前記スライドブロックにスライドできるように連結され、前記主動ギヤの左端には従動ギヤが噛み合うように設置され、前記従動ギヤの左端には横向きスクリューが固定的に連結され、前記横向きスクリューの左端が前記水噴射装置に連結されていることを特徴とする請求項１に記載の高架橋防護柵のクリーニングとメンテナンス設備。
【請求項３】
前記方向ガイド溝の右側内壁の中にはベルトチャンバが設置され、前記ベルトチャンバの中には上プーリが回転できるように設置され、前記上プーリが前記モーター軸に固定的に連結され、前記上プーリの下側には下プーリが回転できるように設置され、前記上プーリと前記下プーリとの間にはベルトが連結され、前記横向き回転軸の右端が前記ベルトチャンバの中に伸びており、且つ前記下プーリに固定的に連結されていることを特徴とする請求項２に記載の高架橋防護柵のクリーニングとメンテナンス設備。
【請求項４】
前記水噴射装置は前記昇降板の中に設置された水入りチャンバを含み、前記水入りチャンバの中にはカムが回転できるように設置され、前記横向きスクリューの左端が前記水入りチャンバの中に伸びており、且つ前記カムに固定的に連結され、前記カムのうち対称中心に近接した一端には水押し板が当接するように設置され、
前記水入りチャンバの右側内壁の中には復帰スライド溝が連通するように形成されており、前記復帰スライド溝の中には復帰スライドブロックがスライドできるように設置され、前記復帰スライドブロックの左端が前記水押し板に固定的に連結され、前記復帰スライドブロックのうち対称中心に近接した一端と前記復帰スライド溝のうち対称中心に近接した片側内壁との間には復帰ばねが固定的に連結され、
前記水押し板の左端面の中には右ラックが固定的に設置され、前記水入りチャンバの左側内壁の中には連通チャンバが連通するように設置され、前記連通チャンバの中には右ギヤが回転できるように設置され、前記右ギヤの右端が前記右ラックに噛み合っており、前記右ギヤの左端には左ギヤが噛み合うように設置され、前記連通チャンバの左側内壁の中には止め板チャンバが連通するように設置され、前記止め板チャンバの中には止め板がスライドできるように設置され、前記止め板の右端面の中には左ラックが固定的に設置され、前記左ギヤの左端が前記左ラックに噛み合っており、
前記水入りチャンバの左側内壁の中には水通し溝が連通するように形成されており、前記水通し溝が前記連通チャンバのうち対称中心に近接した片側内壁の中に位置しており、前記止め板チャンバのうち対称中心に近接した片側内壁が前記水通し溝に連通しており、前記水通し溝の左側内壁の中には貯水チャンバが連通するように設置されていることを特徴とする請求項２に記載の高架橋防護柵のクリーニングとメンテナンス設備。
【請求項５】
前記水入りチャンバのうち対称中心に近接した片側内壁の中には水管が固定的に設置され、前記水管の中には水流通路が上下に貫通するように設置され、前記水流通路のうち対称中心から離れている片側内壁が前記水入りチャンバに連通しており、前記水管のうち対称中心に近接した一端が前記抜き孔の中に伸びており、且つ前記接触装置に連結され、前記水入りチャンバの中の水は前記水流通路を通って前記接触装置の中に流れ込むことができることを特徴とする請求項４に記載の高架橋防護柵のクリーニングとメンテナンス設備。
【請求項６】
前記水入りチャンバの右側内壁の中には位置制限溝が形成されており、前記位置制限溝の中にはネジ山ブロックがスライドできるように設置され、前記ネジ山ブロックが前記横向きスクリューにネジ山によって連結され、前記ネジ山ブロックの右端には連結ブロックが回転できるように連結され、前記連結ブロックのうち対称中心から離れている一端にはコンロッドが固定的に連結され、前記位置制限溝のうち対称中心から離れている片側内壁の中には外側に開口した連通溝が連通するように形成されており、前記コンロッドのうち対称中心から離れている一端が前記連通溝を通り抜け、また前記コンロッドのうち対称中心から離れている一端にはスライドブロックが固定的に連結され、前記位置制限溝の左側内壁にはタッチスイッチが固定的に設置され、前記タッチスイッチが前記モーターに通電できるように連結されていることを特徴とする請求項４に記載の高架橋防護柵のクリーニングとメンテナンス設備。
【請求項７】
前記接触装置は前記水管のうち対称中心に近接した一端に固定的に連結された環状ロッドを含み、前記環状ロッドの中には環状水溝が形成されており、前記水流通路のうち対称中心に近接した片側内壁が前記環状水溝に連通しており、前記環状ロッドのうち対称中心に近接した一端には感応ブロックが固定的に連結され、前記感応ブロックのうち対称中心に近接した一端面の中には平滑パッドが固定的に設置され、前記平滑パッドは防護柵の表面でスライドし、また防護柵を壊さなく、防護柵は前記平滑パッドと接触した時に前記電磁ばねを停電させ、前記環状ロッドのうち対称中心に近接した一端には八つのノズルが固定的に連結され、前記ノズルの中には吐水口が貫通するように設置され、前記吐水口が前記環状水溝に連通していることを特徴とする請求項５に記載の高架橋防護柵のクリーニングとメンテナンス設備。
【発明の詳細な説明】
【技術分野】
【０００１】
本発明はクリーニングとメンテナンス分野に関わり、具体的には高架橋防護柵のクリーニングとメンテナンス設備である。
【背景技術】
【０００２】
高架橋の両側には防護柵があり、車両は高架で事故が起こって直接高架橋から墜落し、深刻な交通事故を引き起こすことを避け、また高架橋の防護柵は始終に室外にあり、その故、常に高架橋の防護柵にクリーニングとメンテナンスをする必要があり、防護柵の使用寿命を延ばし、しかし、高架橋の交通量が大きいため、人為的に高架橋で防護柵にクリーニングとメンテナンスをすると、交通渋滞が起こりやすく、更に交通事故が起こる状況が発生し、本発明は高架橋防護柵のクリーニングとメンテナンス設備を開示し、上記の問題を解決でき、本発明は自動で高架橋の防護柵に沿って移動して防護柵にクリーニングとメンテナンスをすることができ、また防護柵の直径のサイズによって自動で接触装置を調整でき、ノズルが防護柵にぶつかることでノズルと防護柵を壊すことを防止し、そのほか、手動で調節することによって定量に一定の長さの防護柵を洗浄できる。
【先行技術文献】
【特許文献】
【０００３】
【特許文献１】中国特許出願公開第１０２２１２９８９号明細書
【発明の概要】
【発明が解決しようとする課題】
【０００４】
技術問題：
高架橋の交通量が大きいため、人為的に高架橋で防護柵にクリーニングとメンテナンスをすると、交通渋滞が起こりやすく、更に交通事故が起こる。
【課題を解決するための手段】
【０００５】
上記の問題を解決するため、本出願は高架橋防護柵のクリーニングとメンテナンス設備をデザインし、スタンドを含み、前記スタンドの中には左方に開口した方向ガイド溝が形成されており、前記方向ガイド溝の中には伝動装置が設置され、前記方向ガイド溝の下側内壁の中には下方に開口した凹溝が形成されており、前記凹溝の中にはローラーが左右対称的に、且つ回転できるように設置され、前記ローラーの下端が地面に当接しており、両側の前記ローラーの間には横向き回転軸が固定的に連結され、前記横向き回転軸の右端が前記伝動装置に連結され、前記伝動装置は前記横向き回転軸を駆動して回転させることができ、更に前記ローラーを地面で転がらせ、更に前記スタンドを移動連動させ、前記スタンドの側方には、上下方向にスライド可能な二枚の昇降板が上下対称的に設置され、前記昇降板の中には水噴射装置が設置され、前記水噴射装置の右端が前記伝動装置に連結され、前記昇降板のうち対称中心に近接した一端には方向ガイドスライドブロックが固定的に連結され、前記方向ガイドスライドブロックの中には下方に開口した抜き孔が前後に貫通するように設置され、前記抜き孔の中には接触装置が設置され、防護柵は両側の前記抜き孔を通り抜け、前記伝動装置は前記水噴射装置を駆動することによって水を前記接触装置の中に押し込み、更に前記接触装置は水を防護柵に噴出させてクリーニングを行う。
【０００６】
前記伝動装置は前記方向ガイド溝の中に回転できるように、且つスライドできるように設置されたスライドギヤを含み、前記スライドギヤの中にはモーター軸がスプラインによって連結され、前記方向ガイド溝の右側内壁の中にはモーターが固定的に設置され、前記モーター軸の右端が前記モーターに動力が伝達できるように連結され、前記スライドギヤの上下両端には固定ギヤが対称的に、且つ噛み合えるように設置され、前記固定ギヤのうち対称中心から離れている一端には鉛直スクリューが固定的に連結され、前記方向ガイド溝の中にはスライドブロックが上下対称的に、且つスライドできるように設置され、前記鉛直スクリューのうち対称中心から離れている一端がそれぞれ両側の前記スライドブロックにネジ山によって連結され、前記スライドギヤの中にはばね溝が右方に開口するように形成されており、前記ばね溝の左側内壁と前記モーター軸との間には電磁ばねが固定的に連結され、前記電磁ばねを通電させると前記スライドギヤを押し動かして左方にスライドさせることができ、更に前記スライドギヤを前記固定ギヤと噛み合うようにさせ、前記モーター軸の円周面にはウォームが固定的に連結され、前記ウォームが前記スライドギヤの左側に位置しており、前記ウォームの後端にはウォームホイールが噛み合うように連結され、前記ウォームホイールの中には鉛直回転軸が固定的に連結され、前記スライドブロックの中にはギヤチャンバが設置され、前記鉛直回転軸の上下両端がそれぞれ両側の前記ギヤチャンバの中に伸びており、また前記鉛直回転軸の上下両端には主動ギヤがスプラインによって連結され、前記鉛直回転軸が前記スライドブロックにスライドできるように連結され、前記主動ギヤの左端には従動ギヤが噛み合うように設置され、前記従動ギヤの左端には横向きスクリューが固定的に連結され、前記横向きスクリューの左端が前記水噴射装置に連結され、前記モーターを始動し、前記モーター軸によって前記ウォームを回転連動させ、更に前記ウォームホイールを回転連動させ、更に前記鉛直回転軸によって前記主動ギヤを回転連動させ、更に前記従動ギヤを回転連動させ、更に前記横向きスクリューによって前記水噴射装置を駆動し、前記スライドギヤが前記固定ギヤと噛み合った時、前記モーター軸が前記スライドギヤによって前記固定ギヤを回転連動させ、前記固定ギヤが前記鉛直スクリューによって前記スライドブロックをスライド連動させ、更に前記横向きスクリューによって前記昇降板及び前記方向ガイドスライドブロックを上下にスライド連動させる。
【０００７】
好ましくは、前記方向ガイド溝の右側内壁の中にはベルトチャンバが設置され、前記ベルトチャンバの中には上プーリが回転できるように設置され、前記上プーリが前記モーター軸に固定的に連結され、前記上プーリの下側には下プーリが回転できるように設置され、前記上プーリと前記下プーリとの間にはベルトが連結され、前記横向き回転軸の右端が前記ベルトチャンバの中に伸びており、且つ前記下プーリに固定的に連結され、前記モーター軸が前記上プーリを回転連動させ、更に前記ベルトによって前記下プーリを回転連動させ、更に前記横向き回転軸によって前記ローラーを地面で転がらせ、更に前記スタンドを移動連動させることができる。
【０００８】
有益なように、前記水噴射装置は前記昇降板の中に設置された水入りチャンバを含み、前記水入りチャンバの中にはカムが回転できるように設置され、前記横向きスクリューの左端が前記水入りチャンバの中に伸びており、且つ前記カムに固定的に連結され、前記カムのうち対称中心に近接した一端には水押し板が当接するように設置され、前記水入りチャンバの右側内壁の中には復帰スライド溝が連通するように形成されており、前記復帰スライド溝の中には復帰スライドブロックがスライドできるように設置され、前記復帰スライドブロックの左端が前記水押し板に固定的に連結され、前記復帰スライドブロックのうち対称中心に近接した一端と前記復帰スライド溝のうち対称中心に近接した片側内壁との間には復帰ばねが固定的に連結され、前記復帰ばねの弾力の作用で前記復帰スライドブロックが前記水押し板を繰り返してスライド連動させ、前記水押し板の左端面の中には右ラックが固定的に設置され、前記水入りチャンバの左側内壁の中には連通チャンバが連通するように設置され、前記連通チャンバの中には右ギヤが回転できるように設置され、前記右ギヤの右端が前記右ラックに噛み合っており、前記右ギヤの左端には左ギヤが噛み合うように設置され、前記連通チャンバの左側内壁の中には止め板チャンバが連通するように設置され、前記止め板チャンバの中には止め板がスライドできるように設置され、前記止め板の右端面の中には左ラックが固定的に設置され、前記左ギヤの左端が前記左ラックに噛み合っており、前記水入りチャンバの左側内壁の中には水通し溝が連通するように形成されており、前記水通し溝が前記連通チャンバのうち対称中心に近接した片側内壁の中に位置しており、前記止め板チャンバのうち対称中心に近接した片側内壁が前記水通し溝に連通しており、前記水通し溝の左側内壁の中には貯水チャンバが連通するように設置され、前記止め板は前記水通し溝の中に滑り込んでおり、且つ前記貯水チャンバと前記水入りチャンバとを仕切れる。
【０００９】
好ましくは、前記水入りチャンバのうち対称中心に近接した片側内壁の中には水管が固定的に設置され、前記水管の中には水流通路が上下に貫通するように設置され、前記水流通路のうち対称中心から離れている片側内壁が前記水入りチャンバに連通しており、前記水管のうち対称中心に近接した一端が前記抜き孔の中に伸びており、且つ前記接触装置に連結され、前記水入りチャンバの中の水は前記水流通路を通って前記接触装置の中に流れ込むことができる。
【００１０】
好ましくは、前記水入りチャンバの右側内壁の中には位置制限溝が形成されており、前記位置制限溝の中にはネジ山ブロックがスライドできるように設置され、前記ネジ山ブロックが前記横向きスクリューにネジ山によって連結され、前記ネジ山ブロックの右端には連結ブロックが回転できるように連結され、前記連結ブロックのうち対称中心から離れている一端にはコンロッドが固定的に連結され、前記位置制限溝のうち対称中心から離れている片側内壁の中には外側に開口した連通溝が連通するように形成されており、前記コンロッドのうち対称中心から離れている一端が前記連通溝を通り抜け、また前記コンロッドのうち対称中心から離れている一端にはスライドブロックが固定的に連結され、前記位置制限溝の左側内壁にはタッチスイッチが固定的に設置され、前記タッチスイッチが前記モーターに通電できるように連結され、前記ネジ山ブロックが左方にスライドして前記タッチスイッチにタッチした時、前記モーターを停止し、手動で前記スライドブロックを押し動かすことができ、更に前記コンロッドによって前記連結ブロックをスライド連動させ、更に前記ネジ山ブロックをスライド連動させ、更に前記タッチスイッチと前記ネジ山ブロックとの間の初期距離を変えることができる。
【００１１】
有益なように、前記接触装置は前記水管のうち対称中心に近接した一端に固定的に連結された環状ロッドを含み、前記環状ロッドの中には環状水溝が形成されており、前記水流通路のうち対称中心に近接した片側内壁が前記環状水溝に連通しており、前記環状ロッドのうち対称中心に近接した一端には感応ブロックが固定的に連結され、前記感応ブロックのうち対称中心に近接した一端面の中には平滑パッドが固定的に設置され、前記平滑パッドは防護柵の表面でスライドし、また防護柵を壊さなく、防護柵は前記平滑パッドと接触した時に前記電磁ばねを停電させ、前記環状ロッドのうち対称中心に近接した一端には八つのノズルが固定的に連結され、前記ノズルの中には吐水口が貫通するように設置され、前記吐水口が前記環状水溝に連通しており、前記水噴射装置は水を前記環状水溝の中に押し込み、更に前記吐水口によって防護柵の表面に水を吹き付けてクリーニングを行う。
【発明の効果】
【００１２】
本発明の有益な効果は：本発明は自動で高架橋の防護柵に沿って移動して防護柵にクリーニングとメンテをすることができ、また防護柵の直径のサイズによって自動で接触装置を調整でき、ノズルが防護柵にぶつかることでノズルと防護柵を壊すことを防止し、そのほか、手動で調節することによって定量に一定の長さの防護柵を洗浄できる。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の高架橋防護柵のクリーニングとメンテナンス設備の全体構成概略図
【図２】図２は図１の中の「Ａ」の拡大概略図
【図３】図３は図１の中の「Ｂ」の拡大概略図
【図４】図４は図２の中の「Ｃ」の拡大概略図
【図５】図５は図３の「Ｄ―Ｄ」方向の構成概略図
【発明を実施するための形態】
【００１５】
本発明は高架橋防護柵のクリーニングとメンテナンス設備に関わり、主に自動で高架橋の防護柵にクリーニングとメンテナンスをすることに応用され、下記に本発明の付図を合わせて本発明についてさらなる説明を行う：
【００１６】
本発明に記載の高架橋防護柵のクリーニングとメンテナンス設備は、スタンド１１を含み、前記スタンド１１の中には左方に開口した方向ガイド溝１３が形成されており、前記方向ガイド溝１３の中には伝動装置１０２が設置され、前記方向ガイド溝１３の下側内壁の中には下方に開口した凹溝２１が形成されており、前記凹溝２１の中にはローラー２０が左右対称的に、且つ回転できるように設置され、前記ローラー２０の下端が地面に当接しており、両側の前記ローラー２０の間には横向き回転軸１９が固定的に連結され、前記横向き回転軸１９の右端が前記伝動装置１０２に連結され、前記伝動装置１０２は前記横向き回転軸１９を駆動して回転させることができ、更に前記ローラー２０を地面で転がらせ、更に前記スタンド１１を移動連動させ、前記スタンド１１の側方には、上下方向にスライド可能な二枚の昇降板２５が上下対称的に設置され、前記昇降板２５の中には水噴射装置１０１が設置され、前記水噴射装置１０１の右端が前記伝動装置１０２に連結され、前記昇降板２５のうち対称中心に近接した一端には方向ガイドスライドブロック４５が固定的に連結され、前記方向ガイドスライドブロック４５の中には下方に開口した抜き孔４４が前後に貫通するように設置され、前記抜き孔４４の中には接触装置１００が設置され、防護柵は両側の前記抜き孔４４を通り抜け、前記伝動装置１０２は前記水噴射装置１０１を駆動することによって水を前記接触装置１００の中に押し込み、更に前記接触装置１００は水を防護柵に噴出させてクリーニングを行う。
【００１７】
実施例によって、下記に前記伝動装置１０２について詳しく説明し、前記伝動装置１０２は前記方向ガイド溝１３の中に回転できるように、且つスライドできるように設置されたスライドギヤ５４を含み、前記スライドギヤ５４の中にはモーター軸５５がスプラインによって連結され、前記方向ガイド溝１３の右側内壁の中にはモーター５２が固定的に設置され、前記モーター軸５５の右端が前記モーター５２に動力が伝達できるように連結され、前記スライドギヤ５４の上下両端には固定ギヤ４９が対称的に、且つ噛み合えるように設置され、前記固定ギヤ４９のうち対称中心から離れている一端には鉛直スクリュー１４が固定的に連結され、前記方向ガイド溝１３の中にはスライドブロック１２が上下対称的に、且つスライドできるように設置され、前記鉛直スクリュー１４のうち対称中心から離れている一端がそれぞれ両側の前記スライドブロック１２にネジ山によって連結され、前記スライドギヤ５４の中にはばね溝５０が右方に開口するように形成されており、前記ばね溝５０の左側内壁と前記モーター軸５５との間には電磁ばね５１が固定的に連結され、前記電磁ばね５１を通電させると前記スライドギヤ５４を押し動かして左方にスライドさせることができ、更に前記スライドギヤ５４を前記固定ギヤ４９と噛み合うようにさせ、前記モーター軸５５の円周面にはウォーム５６が固定的に連結され、前記ウォーム５６が前記スライドギヤ５４の左側に位置しており、前記ウォーム５６の後端にはウォームホイール６７が噛み合うように連結され、前記ウォームホイール６７の中には鉛直回転軸１８が固定的に連結され、前記スライドブロック１２の中にはギヤチャンバ２４が設置され、前記鉛直回転軸１８の上下両端がそれぞれ両側の前記ギヤチャンバ２４の中に伸びており、また前記鉛直回転軸１８の上下両端には主動ギヤ２３がスプラインによって連結され、前記鉛直回転軸１８が前記スライドブロック１２にスライドできるように連結され、前記主動ギヤ２３の左端には従動ギヤ２２が噛み合うように設置され、前記従動ギヤ２２の左端には横向きスクリュー３３が固定的に連結され、前記横向きスクリュー３３の左端が前記水噴射装置１０１に連結され、前記モーター５２を始動し、前記モーター軸５５によって前記ウォーム５６を回転連動させ、更に前記ウォームホイール６７を回転連動させ、更に前記鉛直回転軸１８によって前記主動ギヤ２３を回転連動させ、更に前記従動ギヤ２２を回転連動させ、更に前記横向きスクリュー３３によって前記水噴射装置１０１を駆動し、前記スライドギヤ５４が前記固定ギヤ４９と噛み合った時、前記モーター軸５５が前記スライドギヤ５４によって前記固定ギヤ４９を回転連動させ、前記固定ギヤ４９が前記鉛直スクリュー１４によって前記スライドブロック１２をスライド連動させ、更に前記横向きスクリュー３３によって前記昇降板２５及び前記方向ガイドスライドブロック４５を上下にスライド連動させる。
【００１８】
有益なように、前記方向ガイド溝１３の右側内壁の中にはベルトチャンバ１６が設置され、前記ベルトチャンバ１６の中には上プーリ５３が回転できるように設置され、前記上プーリ５３が前記モーター軸５５に固定的に連結され、前記上プーリ５３の下側には下プーリ１７が回転できるように設置され、前記上プーリ５３と前記下プーリ１７との間にはベルト１５が連結され、前記横向き回転軸１９の右端が前記ベルトチャンバ１６の中に伸びており、且つ前記下プーリ１７に固定的に連結され、前記モーター軸５５が前記上プーリ５３を回転連動させ、更に前記ベルト１５によって前記下プーリ１７を回転連動させ、更に前記横向き回転軸１９によって前記ローラー２０を地面で転がらせ、更に前記スタンド１１を移動連動させることができる。
【００１９】
実施例によって、下記に前記水噴射装置１０１について詳しく説明し、前記水噴射装置１０１は前記昇降板２５の中に設置された水入りチャンバ６３を含み、前記水入りチャンバ６３の中にはカム２６が回転できるように設置され、前記横向きスクリュー３３の左端が前記水入りチャンバ６３の中に伸びており、且つ前記カム２６に固定的に連結され、前記カム２６のうち対称中心に近接した一端には水押し板５９が当接するように設置され、前記水入りチャンバ６３の右側内壁の中には復帰スライド溝２７が連通するように形成されており、前記復帰スライド溝２７の中には復帰スライドブロック３６がスライドできるように設置され、前記復帰スライドブロック３６の左端が前記水押し板５９に固定的に連結され、前記復帰スライドブロック３６のうち対称中心に近接した一端と前記復帰スライド溝２７のうち対称中心に近接した片側内壁との間には復帰ばね３７が固定的に連結され、前記復帰ばね３７の弾力の作用で前記復帰スライドブロック３６が前記水押し板５９を繰り返してスライド連動させ、前記水押し板５９の左端面の中には右ラック６０が固定的に設置され、前記水入りチャンバ６３の左側内壁の中には連通チャンバ６２が連通するように設置され、前記連通チャンバ６２の中には右ギヤ６１が回転できるように設置され、前記右ギヤ６１の右端が前記右ラック６０に噛み合っており、前記右ギヤ６１の左端には左ギヤ６５が噛み合うように設置され、前記連通チャンバ６２の左側内壁の中には止め板チャンバ６４が連通するように設置され、前記止め板チャンバ６４の中には止め板５７がスライドできるように設置され、前記止め板５７の右端面の中には左ラック６６が固定的に設置され、前記左ギヤ６５の左端が前記左ラック６６に噛み合っており、前記水入りチャンバ６３の左側内壁の中には水通し溝５８が連通するように形成されており、前記水通し溝５８が前記連通チャンバ６２のうち対称中心に近接した片側内壁の中に位置しており、前記止め板チャンバ６４のうち対称中心に近接した片側内壁が前記水通し溝５８に連通しており、前記水通し溝５８の左側内壁の中には貯水チャンバ４８が連通するように設置され、前記止め板５７は前記水通し溝５８の中に滑り込んでおり、且つ前記貯水チャンバ４８と前記水入りチャンバ６３とを仕切れる。
【００２０】
有益なように、前記水入りチャンバ６３のうち対称中心に近接した片側内壁の中には水管４６が固定的に設置され、前記水管４６の中には水流通路４７が上下に貫通するように設置され、前記水流通路４７のうち対称中心から離れている片側内壁が前記水入りチャンバ６３に連通しており、前記水管４６のうち対称中心に近接した一端が前記抜き孔４４の中に伸びており、且つ前記接触装置１００に連結され、前記水入りチャンバ６３の中の水は前記水流通路４７を通って前記接触装置１００の中に流れ込むことができる。
【００２１】
有益なように、前記水入りチャンバ６３の右側内壁の中には位置制限溝３５が形成されており、前記位置制限溝３５の中にはネジ山ブロック３４がスライドできるように設置され、前記ネジ山ブロック３４が前記横向きスクリュー３３にネジ山によって連結され、前記ネジ山ブロック３４の右端には連結ブロック３２が回転できるように連結され、前記連結ブロック３２のうち対称中心から離れている一端にはコンロッド３０が固定的に連結され、前記位置制限溝３５のうち対称中心から離れている片側内壁の中には外側に開口した連通溝２９が連通するように形成されており、前記コンロッド３０のうち対称中心から離れている一端が前記連通溝２９を通り抜け、また前記コンロッド３０のうち対称中心から離れている一端にはスライドブロック３１が固定的に連結され、前記位置制限溝３５の左側内壁にはタッチスイッチ２８が固定的に設置され、前記タッチスイッチ２８が前記モーター５２に通電できるように連結され、前記ネジ山ブロック３４が左方にスライドして前記タッチスイッチ２８にタッチした時、前記モーター５２を停止し、手動で前記スライドブロック３１を押し動かすことができ、更に前記コンロッド３０によって前記連結ブロック３２をスライド連動させ、更に前記ネジ山ブロック３４をスライド連動させ、更に前記タッチスイッチ２８と前記ネジ山ブロック３４との間の初期距離を変えることができる。
【００２２】
実施例によって、下記に前記接触装置１００について詳しく説明し、前記接触装置１００は前記水管４６のうち対称中心に近接した一端に固定的に連結された環状ロッド４３を含み、前記環状ロッド４３の中には環状水溝４２が形成されており、前記水流通路４７のうち対称中心に近接した片側内壁が前記環状水溝４２に連通しており、前記環状ロッド４３のうち対称中心に近接した一端には感応ブロック４１が固定的に連結され、前記感応ブロック４１のうち対称中心に近接した一端面の中には平滑パッド４０が固定的に設置され、前記平滑パッド４０は防護柵の表面でスライドし、また防護柵を壊さなく、防護柵は前記平滑パッド４０と接触した時に前記電磁ばね５１を停電させ、前記環状ロッド４３のうち対称中心に近接した一端には八つのノズル３８が固定的に連結され、前記ノズル３８の中には吐水口３９が貫通するように設置され、前記吐水口３９が前記環状水溝４２に連通しており、前記水噴射装置１０１は水を前記環状水溝４２の中に押し込み、更に前記吐水口３９によって防護柵の表面に水を吹き付けてクリーニングを行う。
【００２３】
下記に図１〜５を合わせて本発明の高架橋防護柵のクリーニングとメンテナンス設備の使用ステップについて詳しく説明する：
【００２４】
初期状態の時、電磁ばね５１が通電していなく、この時にスライドギヤ５４が固定ギヤ４９と噛み合っていなく、ネジ山ブロック３４が右側の限界位置にあり、両側の昇降板２５が互いに離れた状態にある。
【００２５】
使用の時、防護柵が両側の抜き孔４４の間に伸び、スライドブロック３１がスライドし、更にローラー２０が連結ブロック３２とネジ山ブロック３４とをスライド連動させ、更にネジ山ブロック３４とタッチスイッチ２８との間の距離を変え、この時に電磁ばね５１を通電させ、更にスライドギヤ５４を押し動かして左方にスライドさせて固定ギヤ４９と噛み合わせ、この時にモーター５２を始動し、更にモーター軸５５によってスライドギヤ５４を回転連動させ、更に固定ギヤ４９を回転連動させ、更に鉛直スクリュー１４によって両側のスライドブロック１２を互いに近づくようにスライド連動させ、更に横向きスクリュー３３によって両側の昇降板２５を互いに近づくようにスライド連動させ、更に方向ガイドスライドブロック４５を互いに近づくようにスライド連動させ、両側の平滑パッド４０が防護柵に接触した後に電磁ばね５１を停電させ、更にスライドギヤ５４を固定ギヤ４９との噛み合いから離脱させ、モーター軸５５が回転すると同時に上プーリ５３とウォーム５６とを回転連動させ、更に上プーリ５３がベルト１５によって下プーリ１７を回転連動させ、更に横向き回転軸１９によってローラー２０を地面で転がらせ、更にスタンド１１を防護柵に沿って移動連動させ、同時にウォーム５６がウォームホイール６７を回転連動させ、更に鉛直回転軸１８によって主動ギヤ２３を回転連動させ、更に従動ギヤ２２を回転連動させ、更に横向きスクリュー３３によってネジ山ブロック３４を左方にスライド連動させ、ネジ山ブロック３４はタッチスイッチ２８にタッチした時にモーター５２を停止し、横向きスクリュー３３が回転すると同時にカム２６を回転連動させ、更に水押し板５９を押し動かして対称中心に近接した片側へスライドさせ、復帰ばね３７の弾力の作用で復帰スライドブロック３６によって水押し板５９を上下に繰り返してスライド連動させ、水押し板５９が対称中心から離れている片側へスライドする時、右ラック６０によって右ギヤ６１を回転連動させ、更に左ギヤ６５を回転連動させ、更に左ラック６６と止め板５７とをスライド連動させ、更に貯水チャンバ４８と水入りチャンバ６３を連通し、この時に貯水チャンバ４８の中の水は水通し溝５８を通って水入りチャンバ６３の中に流れ込み、水押し板５９が対称中心に近接した片側へスライドする時、右ラック６０によって右ギヤ６１を逆方向に回転連動させ、更に左ギヤ６５を逆方向に回転連動させ、更に左ラック６６と止め板５７とを連動させて水通し溝５８の中に滑り込ませ、更に貯水チャンバ４８と水入りチャンバ６３とを仕切り、同時に水押し板５９が水入りチャンバ６３の中の水に圧力を掛け、且つ水を水流通路４７によって環状水溝４２の中に押し込み、環状水溝４２の中の水は吐水口３９によって防護柵に噴出される。
【００２６】
本発明の有益な効果は：本発明は自動で高架橋の防護柵に沿って移動して防護柵にクリーニングとメンテをすることができ、また防護柵の直径のサイズによって自動で接触装置を調整でき、ノズルが防護柵にぶつかることでノズルと防護柵を壊すことを防止し、そのほか、手動で調節することによって定量に一定の長さの防護柵を洗浄できる。
【００２７】
上記の方式によって、当業者は本発明の範囲内で作動モードに基づいて様々な変わりを行える。
【図１】
0006826249.tif 000002
【図２】
0006826249.tif 000003
【図３】
0006826249.tif 000004
【図４】
0006826249.tif 000005
【図５】
0006826249.tif 000006